(57)【特許請求の範囲】
【請求項１】
正方形のテント本体部の内面に中心部から放射状に位置するように多数本のロープを取り付け、テント本体部の外周部近傍において各ロープにロープの長さ方向の任意の箇所で結合されるテント固定部材を設け、このテント固定部材に連結された引っ掛け手段をテント本体部の張設箇所に引っ掛けることによりテント本体部を建築構造物に対して張設するようにしたテントの取り付け構造であって、テント本体部の互いに直角な２つの側辺部において、この側辺部に近接する内面に側辺部から少し飛び出すようにスライドファスナーをこの側辺部の長さ方向ほぼ全長に亘って縫着にて取り付け、この側辺部に近接する外面に側辺部から少し飛び出し前記スライドファスナーを覆うようにこの側辺部の長さ方向ほぼ全長に亘って帯状の補助シートを縫着にて取り付け、この補助シートのテント本体部からの突出部内面に補助シートの長さ方向ほぼ全長に亘ってスライドファスナーと重ならないように面ファスナーを縫着にて取り付け、またテント本体部の前記互いに直角な２つの側辺部を除く残りの直角な２つの側辺部において、この側辺部に近接する内面に側辺部から少し飛び出すように前記スライドファスナーと対となるスライドファスナーをこの側辺部の長さ方向ほぼ全長に亘って縫着にて取り付けるとともにこの側辺部に近接する外面に前記面ファスナーと対となる面ファスナーをこの側辺部の長さ方向ほぼ全長に亘って縫着にて取り付けてなることを特徴とするテントの取り付け構造。
【発明の詳細な説明】
【０００１】
【発明の属する技術分野】
本発明は、例えば建築工事現場などにおいて雨よけなどのために設けられるテントの取り付け構造に関するものである。
【０００２】
【従来の技術】
従来から、建築工事現場などにおいて雨よけなどのために設けられるテントはテントの周囲近傍適所に繋がれたロープを建築構造物の適所に結び付けて取り付けられているのが現状である。
【０００３】
しかしながら、このようにテントの周囲近傍適所に繋がれたロープを建築構造物の適所に結び付けて取り付ける方法では、風が強いとテントが捲れ上がり、充分な雨よけ効果が得られないという問題があった。
【０００４】
【発明が解決しようとする課題】
本発明はこのような課題を解決するもので、テントを建築構造物に対して強固に張ることができ、風が強くても捲れ上がることがないようにすることを目的とするものである。
【０００５】
この課題を解決するために本発明は、正方形のテント本体部の内面に中心部から放射状に位置するように多数本のロープを取り付け、テント本体部の外周部近傍において各ロープにロープの長さ方向の任意の箇所で結合されるテント固定部材を設け、このテント固定部材に連結された引っ掛け手段をテント本体部の張設箇所に引っ掛けることによりテント本体部を建築構造物に対して張設するようにしたテントの取り付け構造であって、テント本体部の互いに直角な２つの側辺部において、この側辺部に近接する内面に側辺部から少し飛び出すようにスライドファスナーをこの側辺部の長さ方向ほぼ全長に亘って縫着にて取り付け、この側辺部に近接する外面に側辺部から少し飛び出し前記スライドファスナーを覆うようにこの側辺部の長さ方向ほぼ全長に亘って帯状の補助シートを縫着にて取り付け、この補助シートのテント本体部からの突出部内面に補助シートの長さ方向ほぼ全長に亘ってスライドファスナーと重ならないように面ファスナーを縫着にて取り付け、またテント本体部の前記互いに直角な２つの側辺部を除く残りの直角な２つの側辺部において、この側辺部に近接する内面に側辺部から少し飛び出すように前記スライドファスナーと対となるスライドファスナーをこの側辺部の長さ方向ほぼ全長に亘って縫着にて取り付けるとともにこの側辺部に近接する外面に前記面ファスナーと対となる面ファスナーをこの側辺部の長さ方向ほぼ全長に亘って縫着にて取り付けてなることを要旨とするものである。
【０００６】
この構成により、テント本体部の内面に中心部から放射状に位置するように多数本のロープを縫着などにより取り付け、テント本体部の外周部近傍において各ロープにテント固定部材を結合させ、このテント固定部材に連結されたフックなどの引っ掛け手段をテント本体部の張設場所に引っ掛けることにより、テントを建築構造物に対して容易且つ強固に張設することができる。また、このテントを傾斜状態で張設することができ、テントの上の雨水をテントの外に落とすことができ。さらに、テント本体部の外周部適所に浮き上がり防止用錘を取り付けることにより、テント本体部の外周部の風によるばたつきを防止し、風が強くても捲れ上がることがない。
【０００７】
【発明の実施の形態】
以下、本発明の実施の形態について、図面に基づいて説明する。
先ず、図１〜図７に示す第１の実施の形態について説明すると、１は帆布などの繊維基布を素材とし、吸水防止加工が施されてなる正方形のテント本体部で、このテント本体部１の中心部に折り畳み式の支柱２の上端に突出する支え軸３を下方より挿入するための孔部４が設けられている。５は前記孔部４から上方に突出する支え軸３の外面の雄ねじ部３ａに螺合する雌ねじ孔５ａを持つ締め付け部材で、この締め付け部材５を支え軸３の上端より螺合させることにより、支柱２の上端と締め付け部材５との間で前記孔部４周辺を挟むようになっている。６は前記テント本体部１の内面側においてテント本体部１の中心部から放射状に位置するように設けられた多数本のロープで、この各ロープ６の一端はテント本体部１の中心部の前記孔部４の周りに補強布７を当てて縫着することにより支持され、他端もテント本体部１の外周部内面に補強布７を当てて縫着することにより支持され、さらにロープ６の長さ方向中央部もテント本体部１の内面に補強布７を当てて縫着することにより支持されている。ところで、前記テント本体部１の外周部には各側辺部に沿って適当間隔おきにハトメ孔８が設けられている。９は前記ロープ６の長さ方向他端近傍、つまり前記テント本体部１の外周部近傍において、ロープ６の長さ方向任意の箇所に固定される例えば金属製の環状のテント固定部材で、図４および図５に示すように一個所で切り離されていてロープ６の長さ方向に自在に移動できるようになっており、その切り離し端部に設けられた２つの突出片１０，１０間を近づけることにより環状のテント固定部材９の内径が縮まり、環状のテント固定部材９の内面両側に一体に設けた凸部１１がこのテント固定部材９に挿通されたロープ６に圧接し、テント固定部材９がロープ６と結合されるようになっている。１２は前記テント固定部材９の２つの突出片１０，１０に形成された孔部１０ａ，１０ａに一端部が係止するＳ字状のフックで、このフック１２の他端部をテント張設部の周辺部に位置する適当な固定部に引張りながら係止させることによりその引張り力がフック１２を介してテント固定部材９側に伝わり、それによりテント固定部材９の内径が縮まってロープ６を掴み、ロープ６を介してテント本体部１を張設することになる。
【０００８】
図面に示す実施の形態ではコンクリート造りの建物の屋上でテント本体部１の中心部を前記支柱２で持ち上げ、建物の屋上の立ち上がり壁１３の上端に立ち上がり壁１３の周囲に適当間隔おきに万力１４を取り付け、この万力１４に前記フック１２の他端部を係止させてテント本体部１を中心が高くなるような断面山型に張設している。ところで、前記屋上が上から見てほぼ正方形で１枚のテント本体部１で覆われる程度の大きさであればテント本体部１の外周部の各側辺部をそれぞれ屋上の立ち上がり壁１３の上端に係止させれば良いが、屋上が大きい場合はテント本体部１を複数枚繋ぎ合わせるようにすれば良い。そして、屋上を覆うように張設された前記テント本体部１にはその外周部のハトメ孔８にＳ字状のフック１５を介して立ち上がり壁１３の外側で浮き上がり防止用錘１６を取り付け、前記立ち上がり壁１３の外側に被るテント本体部１の外周部の風によるばたつきを防止している。具体的には前記浮き上がり防止用錘１６としては袋状の横長のタンク１７を用い、このタンク１７の端部に開閉自在な水などの注入口１８を設け、この注入口１８よりタンク１７の中に水などを注入することにより浮き上がり防止用錘１６が完成する。なお、タンク１７の上端には水平方向に前記フック１５を掛けるためのハトメ孔１９が形成されている。このように構成された浮き上がり防止用錘１６は前記テント本体部１の外周部を形成する各辺にそれぞれ複数箇所設けられる。
【０００９】
次に、図８に示す第２の実施の形態について説明すると、この実施の形態はコンクリート造りの建物の屋上の直下に位置する部屋のバルコニー２０の立ち上がり壁２１の上端と屋上の立ち上がり壁１３の上端との間をテント本体部１で覆ったもので、テント本体部１は前記第１の実施の形態のような支柱２で支持させずに、テント本体部１の１つの側辺部をバルコニー２０の立ち上がり壁２１の上端に前記第１の実施の形態と同様にロープ６、テント固定部材９、フック１２を介して万力１４に支持させるとともにテント本体部１の前記１つの側辺部に対向する側辺部を屋上の立ち上がり壁１３の上端にロープ６、テント固定部材９、フック１２を介して万力１４に支持させ、テント本体部１を屋上の立ち上がり壁１３から下向きに傾斜させて張設している。なお、テント本体部１の中心部の孔部４は適当なカバー（図示せず）により閉じられる。ところで、バルコニー２０の正面から見た水平方向の長さが短い場合はテント本体部１の１つの側辺部に対して直角な２つの側辺部も同様にして建物の適当な箇所に支持させれば良いが、バルコニー２０の正面から見た水平方向の長さが長くなれば、テント本体部１を複数枚繋ぎ合わせるようにしても良い。
【００１０】
図９〜図１２に示す第３の実施の形態はテント本体部１を複数枚繋ぎ合わせる場合であって、１枚のテント本体部１の互いに直角な２つの側辺部２２，２２には側辺部２２に近接する内面に側辺部２２から少し飛び出すようにスライドファスナー２３ａを各側辺部２２の長さ方向ほぼ全長に亘って縫着するとともに、側辺部２２に近接する外面に前記スライドファスナー２３ａを覆うように各側辺部２２の長さ方向ほぼ全長に亘ってテント本体部１と同様の素材からなる帯状の補助シート２４を縫着し、この補助シート２４のテント本体部１からの突出部内面に補助シート２４の長さ方向ほぼ全長に亘って前記スライドファスナー２３ａと重ならないように面ファスナー２５ａを縫着してある。また、テント本体部１の前記互いに直角な２つの側辺部２２，２２を除く残りの互いに直角な２つの側辺部２６，２６には側辺部２６に近接する内面に側辺部２６から少し飛び出すように前記スライドファスナー２３ａと対となるスライドファスナー２３ｂを各側辺部２６の長さ方向ほぼ全長に亘って縫着するとともに、側辺部２６に近接する外面に前記面ファスナー２５ａと対となる面ファスナー２５ｂを側辺部２６の長さ方向ほぼ全長に亘って縫着してある。このような構成を備えることによって、複数枚のテント本体部１を互いに繋ぎ合わせる場合、隣り合う一方のテント本体部１の前記側辺部２２と他方のテント本体部１の前記側辺部２６を近づけ、前記スライドファスナー２３ａおよびスライドファスナー２３ｂの噛み合いによって隣り合う両テント本体部１，１が互いに結合され、前記面ファスナー２５ａおよび面ファスナー２５ｂの噛み合いによって前記補助シート２４により前記スライドファスナー２３ａ，２３ｂによる結合部が外側から覆われることになる。このような手順により複数枚のテント本体部１を繋ぎ合わすことができる。
【００１１】
ところで、本発明は以上述べた実施の形態において使用されるテント固定部材９や万力１４は図面に示されるものに限定されるものではなく、また複数枚のテント本体部１を繋ぎ合わせる手段も図面に示されるものに限定されるものではない。また、前記第１の実施の形態において、テント本体部１の中心部の孔部４に支柱２の上端に突出する支え軸３を下方より挿入させ、この支え軸３の外面の雄ねじ部３ａに締め付け部材５を螺合させるて支柱２の上端と締め付け部材５との間で前記孔部４周辺を挟むようになっているが、支柱２の上端に雌ねじ部を形成し、この支柱２の上端をテント本体部１の中心部の孔部４周辺内面に当て、締め付け部材５側に支柱２の上端の雌ねじ部に螺合する雄ねじ部を備えて、この雄ねじ部を支柱２上端の雌ねじ部に螺合させることにより支柱２の上端と締め付け部材５との間で前記孔部４周辺を挟むようにしても良い。さらに、テント本体部１の張設場所も図面に示されるものに限定されるものではなく、テント本体部１の端部を万力１４などを介して係止させる場所さえあれば必要な場所にテント本体部１を容易に張設することができる。なお、テント本体部１の張設場所にフックなどを引っ掛ける箇所が既にあれば、万力１４を使用する必要がない。
【００１２】
【発明の効果】
以上のように本発明によれば、テント本体部の内面に中心部から放射状に位置するように多数本のロープを縫着などにより取り付け、テント本体部の外周部近傍において各ロープにテント固定部材を結合させ、このテント固定部材に連結されたフックなどの引っ掛け手段をテント本体部の張設場所に引っ掛けることにより、テントを建築構造物に対して容易且つ強固に張設することができる。また、このテントを傾斜状態で張設することができ、テントの上の雨水をテントの外に落とすことができ。さらに、テント本体部の外周部適所に浮き上がり防止用錘を取り付けることにより、テント本体部の外周部の風によるばたつきを防止し、風が強くても捲れ上がることがない。
【図面の簡単な説明】
【図１】本発明の第１の実施の形態におけるテント本体部の底面図である。
【図２】同テント本体部の張設状態を示す断面図である。
【図３】同支柱によるテント本体部の持ち上げ部の拡大断面図である。
【図４】同テント固定部材の正面図である。
【図５】同テント固定部材の斜視図である。
【図６】同浮き上がり防止用錘をテント本体部に取り付けた状態を示す正面図である。
【図７】同浮き上がり防止用錘をテント本体部に取り付けた状態を示す側面図である。
【図８】本発明の第２の実施の形態におけるテント本体部の張設状態を示す断面図である。
【図９】本発明の第３の実施の形態におけるテント本体部の平面図である。
【図１０】同テント本体部のＡ部拡大断面図である。
【図１１】同テント本体部のＢ部拡大断面図である。
【図１２】同テント本体部同士を繋いだ状態を示す要部拡大断面図である。
【符号の説明】
１              テント本体部
２              支柱
３              支え軸
４              孔部
５              締め付け部材
６              ロープ
８              ハトメ孔
９              テント固定部材
１０              突出片
１０ａ            孔部
１１              凸部
１２              フック
１３              立ち上がり壁
１４              万力
１５              フック
１６              浮き上がり防止用錘
２０              バルコニー
２１              立ち上がり壁
２２              側辺部
２３ａ，２３ｂ    スライドファスナー
２４              補助シート
２５ａ，２５ｂ    面ファスナー
２６              側辺部
【図１】
0004201450.tif 000002
【図２】
0004201450.tif 000003
【図３】
0004201450.tif 000004
【図４】
0004201450.tif 000005
【図５】
0004201450.tif 000006
【図６】
0004201450.tif 000007
【図７】
0004201450.tif 000008
【図８】
0004201450.tif 000009
【図９】
0004201450.tif 000010
【図１０】
0004201450.tif 000011
【図１１】
0004201450.tif 000012
【図１２】
0004201450.tif 000013